(57)【要約】【課題】清掃性及び操作性を高めることを最大の目的とし、より好ましくは歯間清掃用糸の交換が容易で、かつ歯間清掃用糸の交換により永続使用が可能である歯間清掃具を提供する。【解決手段】歯間清掃具は、張設する歯間清掃用糸５の中間を係止する糸係止保持部２と、張設する歯間清掃用糸５の両端を保持して固定する糸固定保持部３と、を有し、張設する歯間清掃用糸５は、糸係止保持部２と糸固定保持部３とに着脱可能である。【選択図】図４
2007222383.tif 000002
【特許請求の範囲】
【請求項１】
張設する歯間清掃用糸の中間を係止する糸係止保持部と、
張設する歯間清掃用糸の両端を保持して固定する糸固定保持部と、
を有し、
前記張設する歯間清掃用糸は、前記糸係止保持部と前記糸固定保持部とに
着脱可能であることを特徴とする歯間清掃具。
【請求項２】
前記係止保持部は、前記張設する歯間清掃用糸の中間を係止する糸係止部を有することを特徴とする請求項１に記載の歯間清掃具。
【請求項３】
前記糸固定保持部は、前記張設する歯間清掃用糸の両端を保持して固定する取付部材を有することを特徴とする請求項１または請求項２に記載の歯間清掃具。
【請求項４】
前記糸固定保持部は、一体に形成された摘み部を有することを特徴とする請求項１乃至請求項３のいずれか１項に記載の歯間清掃具。
【発明の詳細な説明】
【技術分野】
【０００１】
この発明は、歯と歯の間の歯垢、食べカス等を取り除く歯間清掃用糸を着脱する歯間清掃具に関する。
【背景技術】
【０００２】
従来の歯間清掃具には、歯間清掃用糸を張設する二股状の糸保持部の一方を他方より長く突成すると共に、糸保持部の先端間に歯間清掃用糸を張設したものがある（特許文献１）。また、柄の両方の先端部に二股に分かれたコ字状の糸保持部を形成し、糸保持部の間に歯間清掃用糸を張設したものがある。
【特許文献１】特開２００１−９５８２２号公報
【発明の開示】
【発明が解決しようとする課題】
【０００３】
ところで、これらの歯間清掃具は、歯間清掃用糸が１本であり、１本の歯間清掃用糸を歯間に挿入して清掃するため、操作が面倒で、かつ清掃に時間がかかる。また、歯間清掃用糸が１本であるために、歯間清掃用糸を歯間に挿入する回数が多くなる分歯間清掃用糸が早く傷付き、早く使用不能となるなどの問題がある。
【０００４】
この発明は、かかる問題点に鑑みなされたもので、清掃性及び操作性を高めることを最大の目的とし、より好ましくは歯間清掃用糸の交換が容易で、かつ歯間清掃用糸の交換により永続使用が可能である歯間清掃具を提供することを目的とする。
【課題を解決するための手段】
【０００５】
前記課題を解決し、かつ目的を達成するために、この発明は、以下のように構成されている。
【０００６】
請求項１に記載の発明は、
張設する歯間清掃用糸の中間を係止する糸係止保持部と、
張設する歯間清掃用糸の両端を保持して固定する糸固定保持部と、
を有し、
前記張設する歯間清掃用糸は、前記糸係止保持部と前記糸固定保持部とに
着脱可能であることを特徴とする歯間清掃具である。
【０００７】
請求項２に記載の発明は、
前記糸係止保持部は、前記張設する歯間清掃用糸の中間を係止する糸係止部を有することを特徴とする請求項１に記載の歯間清掃具である。
【０００８】
請求項３に記載の発明は、
前記糸固定保持部は、前記張設する歯間清掃用糸の両端を保持して固定する取付部材を有することを特徴とする請求項１または請求項２に記載の歯間清掃具である。
【０００９】
請求項４に記載の発明は、
前記糸固定保持部は、一体に形成された摘み部を有することを特徴とする請求項１乃至請求項３のいずれか１項に記載の歯間清掃具である。
【発明の効果】
【００１０】
前記構成により、この発明は、以下のような効果を有する。
【００１１】
請求項１に記載の発明では、糸係止保持部に張設する歯間清掃用糸の中間が係止され、糸固定保持部に歯間清掃用糸の両端を保持して固定されており、同時に２本の歯間清掃用糸をそれぞれ歯の両側の歯間に挿入して清掃することができるため、操作が容易で、かつ清掃を短時間に行なうことができる。また、歯間清掃用糸が２本であるために、歯間清掃用糸を歯間に挿入する回数が少なくなる分歯間清掃用糸の耐久性が向上する。また、歯間清掃用糸が傷付き使用不能となると、張設する歯間清掃用糸が糸係止保持部と糸固定保持部とに着脱可能であり、容易に交換することができ、歯間清掃用糸の交換により永続使用が可能である。
【００１２】
請求項２に記載の発明では、糸係止保持部の係止部に張設する歯間清掃用糸の中間を係止することで、同時に２本の歯間清掃用糸をそれぞれ歯の両側の歯間に挿入して清掃するときにずれることがなく、確実に清掃することができる。また、張設する歯間清掃用糸を容易に取り外して交換することができる。
【００１３】
請求項３に記載の発明では、張設する歯間清掃用糸の両端を保持して固定する取付部材により、張設する歯間清掃用糸を容易に取り外して交換することができる。
【００１４】
請求項４に記載の発明では、糸固定保持部に形成された摘み部を持つことで、指の力が入りやすく、また回転することがなく、容易に歯間の清掃ができ、また歯間清掃用糸の交換作業ができる。
【発明を実施するための最良の形態】
【００１５】
以下、この発明の歯間清掃具の実施の形態について説明するが、この発明の実施の形態は、発明の最も好ましい形態を示すものであり、この発明はこれに限定されない。図１は歯間清掃具の正面図、図２は歯間清掃具の平面図、図３は歯間清掃具の側面図、図４は歯間清掃具の分解斜視図、図５は歯間清掃具の使用状態を示す図である。
【００１６】
この発明の歯間清掃具は、一実施の形態であり、糸保持部本体１の一端に糸係止保持部２と、他端に糸固定保持部３とが樹脂で一体に形成され、さらに糸固定保持部３には、摘み部４が一体に形成されている。糸係止保持部２は、張設する歯間清掃用糸５の中間を係止するものであり、糸保持部本体１の一端から立ち上がるように延びており、先端部２aに張設する歯間清掃用糸５の中間を係止する糸係止部２ｂを有する。この実施の形態では、糸係止部２ｂは、溝に形成されているが、突起を設けて係止するようにしてもよい。
【００１７】
糸固定保持部３は、張設する歯間清掃用糸５の両端を保持して固定するものであり、保持部本体１の他端から立ち上がるように延びており、先端部３aにボルト貫通孔３a１と、回り止めピン貫通孔３a２とが形成されている。糸固定保持部３の先端部３aの両側には、止めプレート６が配置され、この止めプレート６にはボルト貫通孔６a１と、回り止めピン貫通孔６a２とが形成されている。
【００１８】
糸固定保持部３の先端部３aは、取付部材７を有する。この取付部材７は張設する歯間清掃用糸５の両端を保持して固定するものであり、締付ボルト７aとナット７ｂとから構成される。
【００１９】
糸固定保持部３の先端部３aの回り止めピン貫通孔３a２に、回り止めピン８を貫通し、回り止めピン８の突出する先端部に止めプレート６の回り止めピン貫通孔６a２をそれぞれ挿入し、糸固定保持部３の先端部３aの両側に止めプレート６を仮に止める。そして、締付ボルト７aを、一方の止めプレート６のボルト貫通孔６a１から挿入し、糸固定保持部３のボルト貫通孔３a１、他方の止めプレート６のボルト貫通孔６a１に貫通させ、先端部７a１にナット７ｂを緩く螺着する。それぞれの止めプレート６は、糸固定保持部３の先端部３aと対向する側の上部に傾斜部６aが形成され、この傾斜部６aによって歯間清掃用糸５の両端が糸固定保持部３の先端部３aの間に容易に挿入できるようになっている。        
【００２０】
歯間清掃用糸５の取り付けは、糸係止保持部２の糸係止部２ｂに歯間清掃用糸５の中間を係止し、歯間清掃用糸５の一端を、一方の止めプレート６と糸固定保持部３の先端部３aとの間に挿入し、歯間清掃用糸５の他端を、他方の止めプレート６と糸固定保持部３の先端部３aとの間に挿入し、緩く螺着されているナット７ｂを締め付ける。このように、糸係止保持部２に張設する歯間清掃用糸５の中間が係止され、糸固定保持部３に歯間清掃用糸５の両端が保持して固定される。この張設する歯間清掃用糸５は、取付部材７により糸係止保持部２と糸固定保持部３とに着脱可能であり、糸係止保持部２と糸固定保持部３との間に２本略平行に張設される。この実施の形態では、糸固定保持部３に張設する歯間清掃用糸５の両端を、取付部材７によって締め付け固定しているが、これに限定されず突起する部分に結び付けるようにしてもよい。
【００２１】
この歯間清掃用糸５は、公知の歯間フロスが使用でき、例えば極細繊維と太繊度繊維からなる複合糸で構成される。極細繊維と太繊度繊維との複合割合は、極細繊維は少なくとも太繊度繊維より多く含まれていることが好ましい。さらに、複合糸を数本撚り合わせて使用することが好ましい。数本撚り合わせて撚糸とすることで、必要な強度を持たせるとともに、歯間の隙間に合わせた太さとする。また、歯間フロスには、キシリトールなどの薬剤成分や歯磨き粉等を含ませておいても良い。
【００２２】
この発明では、糸係止保持部２に張設する歯間清掃用糸５の中間が係止され、糸固定保持部３に歯間清掃用糸５の両端を保持して着脱可能に固定されており、図５に示すように、下側の歯２０であれば歯間清掃用糸５を下向きに、また上側の歯２０であれば歯間清掃用糸５を上向きにして使用することはもちろんであるが、例えば２本の歯間清掃用糸５の両端を人差し指に巻き付けて摘み部４を持ち、同時に２本の歯間清掃用糸５をそれぞれ歯２０の両側の歯間２１に挿入して清掃することができるため、操作が容易で、かつ清掃を短時間に行なうことができる。
【００２３】
また、歯間清掃用糸５が２本であるために、歯間清掃用糸５を歯間２１に挿入する回数が少なくなる分歯間清掃用糸５の耐久性が向上する。
【００２４】
また、糸係止保持部２の係止溝部２aに張設する歯間清掃用糸５の中間を係止することで、同時に２本の歯間清掃用糸５をそれぞれ歯２０の両側の歯間２１に挿入して清掃するときにずれることがなく、確実に清掃することができる。
【００２５】
また、歯間清掃具の糸固定保持部３に形成された摘み部４を持つことで、指の力が入りやすく、また歯間清掃具が回転することがなく、歯間清掃用糸５により容易に歯間２１を清掃できる。
【００２６】
この歯間清掃用糸５が傷付き使用不能となると、ナット７bを緩めて、傷付いた歯間清掃用糸５を取り外し、新たな歯間清掃用糸５と交換する。この新たな歯間清掃用糸５の取り付けは、糸係止保持部２の糸係止部２ｂに歯間清掃用糸５の中間を係止し、歯間清掃用糸５の一端を、一方の止めプレート６と糸固定保持部３の先端部３aとの間に挿入し、歯間清掃用糸５の他端を、他方の止めプレート６と糸固定保持部３の先端部３aとの間に挿入し、緩く螺着されているナット７ｂを締め付ける。このように、張設する歯間清掃用糸５を容易に取り外して交換することができ、しかも歯間清掃用糸５の交換することで、歯間清掃具の永続使用が可能である。
【産業上の利用可能性】
【００２７】
この発明は、歯と歯の間の歯垢、食べカス等を取り除く歯間清掃用糸を着脱する歯間清掃具に適用でき、清掃性及び操作性を高めることを最大の目的とし、より好ましくは歯間清掃用糸の交換が容易で、かつ歯間清掃用糸の交換により歯間清掃具の永続使用が可能である。
【図面の簡単な説明】
【００２８】
【図１】図１は歯間清掃具の正面図である。
【図２】歯間清掃具の平面図である。
【図３】歯間清掃具の側面図である。
【図４】歯間清掃具の分解斜視図である。
【図５】歯間清掃具の使用状態を示す図である。
【符号の説明】
【００２９】
１  糸保持部本体
２  糸係止保持部
２ａ 先端部
２ｂ 糸係止部
３  糸固定保持部
４  摘み部
５  歯間清掃用糸
６  止めプレート
７  取付部材
【図１】
2007222383.tif 000003
【図２】
2007222383.tif 000004
【図３】
2007222383.tif 000005
【図４】
2007222383.tif 000006
【図５】
2007222383.tif 000007